(57)【要約】【課題】複数ステージの電力変換回路をシリーズに接続することによって構成されるマルチステージ電源回路において、待機モードにおいて消費電力を低減すると共に、待機モードから通常動作モードへの移行を高速化する。【解決手段】マルチステージ電源回路は、整流回路と、整流回路から出力される電圧をスイッチングすることにより電力変換する第１の電力変換回路と、第１の電力変換回路の動作を制御する第１の制御回路と、第１の電力変換回路から出力される直流電圧をスイッチング動作によって昇圧等する第２の電力変換回路と、第２の電力変換回路の動作を制御する第２の制御回路と、制御信号が活性化されているときに第１の制御回路を動作させるための電源電圧を生成する起動回路とを具備し、第１の電力変換回路が、スイッチング動作に伴って、少なくとも第２の制御回路を動作させるための電源電圧を生成する。【選択図】図１
2007143260.tif 000002
【特許請求の範囲】
【請求項１】
複数ステージの電力変換回路をシリーズに接続することによって構成されるマルチステージ電源回路であって、
入力される交流電圧を整流する整流回路と、
前記整流回路から出力される電圧をインダクタンス素子を介してスイッチングすることにより矩形波電圧に変換し、得られた矩形波電圧を再び直流電圧に変換する第１の電力変換回路と、
前記第１の電力変換回路のスイッチング動作を制御する第１の制御回路と、
前記第１の電力変換回路から出力される直流電圧をスイッチング動作によって昇圧若しくは降圧し、又は、交流電圧に変換する第２の電力変換回路と、
前記第２の電力変換回路のスイッチング動作を制御する第２の制御回路と、
前記整流回路から出力される電圧を用いて、制御信号が活性化されているときに、前記第１の制御回路を動作させるための電源電圧を生成する起動回路と、
を具備し、前記第１の電力変換回路が、スイッチング動作に伴って、少なくとも前記第２の制御回路を動作させるための電源電圧を生成する、マルチステージ電源回路。
【請求項２】
前記第１の電力変換回路が、スイッチング動作に伴って、前記第１及び第２の制御回路を動作させるための電源電圧を生成すると共に、前記第２の電力変換回路が、スイッチング動作に伴って、前記第１及び第２の制御回路を動作させるための電源電圧を生成する、請求項１記載のマルチステージ電源回路。
【請求項３】
前記起動回路に供給される制御信号が、待機モードと通常動作モードとの内の一方を指示するために外部から供給される信号である、請求項１又は２記載のマルチステージ電源回路。
【請求項４】
前記整流回路から出力される電圧を遅延させることにより、前記起動回路に供給される制御信号を生成する制御信号生成回路をさらに具備する、請求項１又は２記載のマルチステージ電源回路。
【請求項５】
前記起動回路が、前記整流回路から出力される電圧を用いて、制御信号が活性化されているときに第１の電源電圧を生成し、制御信号が活性化されていないときに第１の電源電圧よりも絶対値が小さい第２の電源電圧を生成する、請求項１〜４のいずれか１項記載のマルチステージ電源回路。
【発明の詳細な説明】
【技術分野】
【０００１】
本発明は、複数ステージの電力変換回路（コンバータ又はインバータ）をシリーズに接続することによって構成されるマルチステージ電源回路に関する。
【背景技術】
【０００２】
近年においては、電子機器の小型軽量化に伴い、小型軽量で効率良く電力を取り出すことのできる電源回路として、スイッチング動作によって昇圧等を行う電力変換回路が広く使用されている。さらに、高圧電源を発生するために、そのような電力変換回路を複数ステージに亘ってシリーズに接続することにより構成されるマルチステージ電源回路も利用されている。
【０００３】
ところで、交流電圧が入力されて動作する電源回路においては、入力電圧及び入力電流における波形及び位相を合わせることにより、力率を改善すると共に、高調波ノイズを抑制することが望まれている。また、近年においては、省エネルギー対策のために待機モードを有する機器が増加しており、電源回路に対して、待機モードにおいて消費電力を低減すると共に、待機モードから通常動作モードへの移行時にスピーディに立ち上がることが求められている。
【０００４】
関連する技術として、下記の特許文献１には、電源装置の力率を改善するためのアクティブフィルタ（チョッパ型コンバータ）と主コンバータ部（ＤＣ−ＤＣコンバータ）とがシリーズに接続された電源装置において、主コンバータ部が停止してもアクティブフィルタの起動回路が破損しないように保護することが開示されている。このアクティブフィルタは、該アクティブフィルタのスイッチング素子に駆動信号を供給する制御回路と、主コンバータ部に設けられたトランスの巻線と制御回路の電源供給端子との間に設けられ、運転時において制御回路に駆動電力を供給する補助電源回路と、アクティブフィルタの入力側あるいは出力側と制御回路の電源供給端子との間に設けられ、動作開始時において制御回路に駆動電力を供給する起動回路と、主コンバータ部の動作を停止させる制御信号を受信したときに起動回路から制御回路への駆動電力の供給を停止させる保護スイッチ回路とを具備する。
【０００５】
また、下記の特許文献２には、アクティブフィルタとＤＣ−ＤＣコンバータとがシリーズに接続された電源装置において、単一の起動回路でアクティブフィルタとＤＣ−ＤＣコンバータとの順次起動を可能にし、入力電圧が徐々に低下した場合のハンチング動作を確実に防止することが開示されている。この電源装置は、昇圧チョークコイル、インバータ素子、アクティブフィルタ制御回路を備えた力率改善用のアクティブフィルタと、絶縁トランス、インバータ素子、コンバータ制御回路を備えたＤＣ−ＤＣコンバータと、アクティブフィルタ制御回路とコンバータ制御回路とに動作電力を供給する電力供給ラインに接続され、アクティブフィルタ制御回路接続点側からコンバータ制御回路接続点側への電力供給を遮断するダイオードと、電源投入時にアクティブフィルタ制御回路に起動電圧を供給して起動させる起動回路と、アクティブフィルタの起動後に昇圧チョークコイルの補助巻線の出力を整流した電力をコンバータ制御回路に供給して起動させると共に前記ダイオードを介してアクティブフィルタ制御回路に供給して継続動作させる第１整流回路と、ＤＣ−ＤＣコンバータの起動後に絶縁トランスの補助巻線の出力を整流した電力をコンバータ制御回路に供給して継続動作させる第２整流回路とを備え、電源投入時にアクティブフィルタとＤＣ−ＤＣコンバータとを順次起動させるように構成されている。
【０００６】
しかしながら、特許文献１及び特許文献２には、電源装置を待機状態に保つことや、ＤＣ−ＤＣコンバータの動作が停止した状態から通常動作状態への移行を高速化することに関しては、特に記載されていない。
【特許文献１】特開平１０−２８３７２号公報（第１−２頁、図１）
【特許文献２】特開２００４−３２０９１２号公報（第１−２頁、図１）
【発明の開示】
【発明が解決しようとする課題】
【０００７】
そこで、上記の点に鑑み、本発明は、複数ステージの電力変換回路をシリーズに接続することによって構成されるマルチステージ電源回路において、待機モードにおいて消費電力を低減すると共に、待機モードから通常動作モードへの移行を高速化することを目的とする。
【課題を解決するための手段】
【０００８】
上記課題を解決するため、本発明の１つの観点に係るマルチステージ電源回路は、複数ステージの電力変換回路をシリーズに接続することによって構成されるマルチステージ電源回路であって、入力される交流電圧を整流する整流回路と、整流回路から出力される電圧をインダクタンス素子を介してスイッチングすることにより矩形波電圧に変換し、得られた矩形波電圧を再び直流電圧に変換する第１の電力変換回路と、第１の電力変換回路のスイッチング動作を制御する第１の制御回路と、第１の電力変換回路から出力される直流電圧をスイッチング動作によって昇圧若しくは降圧し、又は、交流電圧に変換する第２の電力変換回路と、第２の電力変換回路のスイッチング動作を制御する第２の制御回路と、整流回路から出力される電圧を用いて、制御信号が活性化されているときに、第１の制御回路を動作させるための電源電圧を生成する起動回路とを具備し、第１の電力変換回路が、スイッチング動作に伴って、少なくとも第２の制御回路を動作させるための電源電圧を生成する。
【発明の効果】
【０００９】
本発明によれば、制御信号が活性化されているときに第１の制御回路を動作させるための電源電圧を生成する起動回路を設け、さらに、第１の電力変換回路がスイッチング動作に伴って少なくとも第２の制御回路を動作させるための電源電圧を生成することにより、待機モードにおいて消費電力を低減すると共に、待機モードから通常動作モードへの移行を高速化することを目的とすることができる。
【発明を実施するための最良の形態】
【００１０】
以下に、本発明を実施するための最良の形態について、図面を参照しながら詳しく説明する。なお、同一の構成要素には同一の参照番号を付して、説明を省略する。
図１は、本発明の第１の実施形態に係るマルチステージ電源回路の構成を示すブロック図である。このマルチステージ電源回路は、スイッチング素子としてトランジスタを用いてスイッチング動作を行う複数ステージの電力変換回路（コンバータ又はインバータ）を有している。
【００１１】
前段の電力変換回路１０は、交流電圧を直流電圧に変換する電力変換回路であり、例えば、入力される交流電圧を整流する整流回路１１と、整流回路１１から出力される電圧をインダクタンス素子を介してスイッチングすることにより矩形波電圧に変換し、得られた矩形波電圧を再び直流電圧に変換する際に、電圧及び電流における波形及び位相を合わせて力率を改善するＰＦＣ（power factor controller：力率改善コントロール）回路１２と、補助出力電圧を生成する補助出力電圧生成回路１３とを含んでいる。入力電圧としては、一般的に、国内においては１００Ｖ又は２００Ｖが用いられ、海外においては１１５Ｖ又は２３０Ｖが用いられる。
【００１２】
また、後段の電力変換回路２０は、前段の電力変換回路１０から出力される直流電圧をスイッチング動作によって昇圧若しくは降圧し、又は、交流電圧に変換する電力変換回路であって、ＤＣ／ＤＣコンバータでも良いし、ＤＣ／ＡＣインバータでも良い。ＤＣ／ＡＣインバータとしては、モータ（コンプレッサ）用のインバータや、蛍光灯用の高周波点灯用インバータが該当する。後段の電力変換回路２０は、補助出力電圧を生成する補助出力電圧生成回路２１を含んでいる。
【００１３】
さらに、マルチステージ電源回路は、整流回路１１から出力される電圧に基づいてローカル電源電圧ＶＬＣを生成するローカル電源生成回路（起動回路）３０と、前段の電力変換回路１０におけるスイッチング動作を制御する前段制御回路４０と、後段の電力変換回路２０におけるスイッチング動作を制御する後段制御回路５０と、抵抗Ｒ１と、ダイオードＤ１〜Ｄ５とを有している。
【００１４】
ローカル電源生成回路３０は、待機モードと通常動作モードとの内の一方を指示するために外部から供給される制御信号（外部オン信号）が活性化されているか否かに従って、ローカル電源電圧ＶＬＣの電圧値を切り換える。即ち、ローカル電源生成回路３０は、制御信号が活性化されているときには、第１の電圧値を有するローカル電源電圧ＶＬＣを出力し、制御信号が活性化されていないときには、第１の電圧値よりも絶対値が小さい第２の電圧値を有するローカル電源電圧ＶＬＣを出力する。なお、以下においては、第１及び第２の電圧値が正の値である場合について説明する。
【００１５】
ローカル電源生成回路３０から出力されるローカル電源電圧ＶＬＣは、抵抗Ｒ１を介して前段制御回路４０に供給される。前段制御回路４０は、第２の電圧値を有するローカル電源電圧ＶＬＣが供給されても始動しないが、第１の電圧値を有するローカル電源電圧ＶＬＣが供給されると始動して、前段の電力変換回路１０におけるスイッチング動作の制御を開始する。
【００１６】
さらに、前段の電力変換回路１０がスイッチング動作を開始すると、このスイッチング動作に伴って、補助出力電圧生成回路１３が交流電圧を出力する。補助出力電圧生成回路１３から出力される交流電圧はダイオードＤ１によって整流され、得られた整流電圧は、ダイオードＤ５を介して後段制御回路５０に供給される。後段制御回路５０は、整流電圧が供給されると始動して、後段の電力変換回路２０におけるスイッチング動作の制御を開始する。なお、ダイオードＤ１による整流電圧を、ダイオードＤ３を介して前段制御回路４０に供給するようにすれば、前段制御回路４０の起動を安定化させることができる。
【００１７】
後段の電力変換回路２０がスイッチング動作を開始すると、このスイッチング動作に伴って、補助出力電圧生成回路２１が交流電圧を出力する。補助出力電圧生成回路２１から出力される交流電圧はダイオードＤ２によって整流され、得られた整流電圧は、ダイオードＤ３及びＤ５を介して前段制御回路４０及び後段制御回路５０にそれぞれ供給される。これにより、前段制御回路４０及び後段制御回路５０の起動をさらに安定化させることができる。
【００１８】
従って、前段の電力変換回路１０にＡＣ入力が投入されても、待機モードにおいて電源制御信号が活性化されていないときには、第２の電圧値を有するローカル電源電圧ＶＬＣが前段制御回路４０に供給され、前段制御回路４０は始動に至らない。これにより、待機モードにおいて消費電流を低減することができる。ただし、前段の電力変換回路１０にＡＣ入力が投入されているので、ＰＦＣ回路１２の出力には直流電圧が発生し、この直流電圧は、後段の電力変換回路２０に印加される。
【００１９】
その後、通常動作モードにおいて制御信号が活性化されると、第１の電圧値を有するローカル電源電圧ＶＬＣが前段制御回路４０に供給され、前段制御回路４０が始動して、前段の電力変換回路１０がスイッチング動作を開始する。ここで、ＰＦＣ回路１２の出力には既に直流電圧が発生しているので、前段の電力変換回路１０は、迅速に電力変換動作を開始できる。また、後段の電力変換回路２０には既に直流電圧が印加されているので、後段の電力変換回路２０は、迅速に電力変換動作を開始できる。
【００２０】
図２は、図１に示す前段の電力変換回路及びローカル電源生成回路の構成を示す図である。図２に示すように、前段の電力変換回路１０において、整流回路１１は、ダイオードブリッジによって構成される。また、ＰＦＣ回路１２は、巻線に流れる電流によって発生する磁気エネルギーを蓄えるインダクタンス素子１４と、整流回路１１から供給される電圧をインダクタンス素子１４を介してスイッチングするスイッチング素子Ｑ１０と、前段制御回路４０（図１）から供給される駆動信号ＶＣ１に基づいてスイッチング素子Ｑ１０を駆動するドライバ１５と、スイッチング動作によって発生する矩形波電圧を整流するダイオードＤ１０と、ダイオードＤ１０によって整流された電圧を平滑して直流電圧を生成するコンデンサＣ１０とを含んでいる。ここで、インダクタンス素子１４としてトランスの１次側巻線を用いることにより、トランスの２次側巻線を図１に示す補助出力電圧生成回路１３として利用することができる。
【００２１】
ローカル電源生成回路３０において、整流回路１１から出力される電圧が、抵抗Ｒ３０及びダイオードＤ３０を介して、ＮＰＮトランジスタＱ３０のコレクタに供給される。また、ダイオードＤ３０のカソード電圧は、抵抗Ｒ３１を介して、直列に接続されたツェナーダイオードＺ３０及びＺ３１の一端、及び、トランジスタＱ３０のベースに印加される。ツェナーダイオードＺ３０及びＺ３１の他端は接地されているので、トランジスタＱ３０のベース電圧は、ツェナーダイオードＺ３０及びＺ３１の両端電圧に等しくなる。このベース電圧に基づいて、トランジスタＱ３０のエミッタからローカル電源電圧ＶＬＣが出力される。なお、ＰＦＣ回路１２がスイッチング動作を開始すると、補助出力電圧生成回路１３から出力される交流電圧をダイオードＤ１が整流することにより、ダイオードＤ１の整流電圧が、ダイオードＤ４を介して、ローカル電源電圧ＶＬＣの出力端子に印加される。
【００２２】
一方、ＰＮＰトランジスタＱ３２のベースには、抵抗Ｒ３３を介して、外部から供給される制御信号が印加される。トランジスタＱ３２のエミッタには、抵抗Ｒ３２を介してローカル電源電圧ＶＬＣが供給されており、トランジスタＱ３２は、エミッタフォロワとして動作する。トランジスタＱ３２のエミッタ電圧は、ＮＰＮトランジスタＱ３１のベースに印加される。トランジスタＱ３１のコレクタは、ツェナーダイオードＺ３０とツェナーダイオードＺ３１との接続点に接続されており、トランジスタＱ３１のエミッタは、ツェナーダイオードＺ３２の一端に接続されている。ツェナーダイオードＺ３２の他端は接地されている。
【００２３】
負論理の制御信号がローレベルに活性化されているときには、トランジスタＱ３２のエミッタ電圧が低下するので、トランジスタＱ３１はオフ状態となる。従って、トランジスタＱ３０のベース電圧は、ツェナーダイオードＺ３０のツェナー電圧とツェナーダイオードＺ３１のツェナー電圧との和によって定まる値となり、トランジスタＱ３０のエミッタから出力されるローカル電源電圧ＶＬＣは、第１の電圧Ｖ１（例えば、１５Ｖ）となる。
【００２４】
一方、制御信号がハイレベル又はオープンに非活性化されているときには、トランジスタＱ３２のエミッタ電圧が上昇するので、トランジスタＱ３１がオン状態となる。ここで、ツェナーダイオードＺ３２のツェナー電圧が、ツェナーダイオードＺ３１のツェナー電圧よりも小さいとすると、トランジスタＱ３０のベース電圧は、ツェナーダイオードＺ３０のツェナー電圧とツェナーダイオードＺ３２のツェナー電圧との和によって定まる値となり、トランジスタＱ３０のエミッタから出力されるローカル電源電圧ＶＬＣは、第１の電圧Ｖ１よりも低い第２の電圧Ｖ２（例えば、７Ｖ）となる。
【００２５】
ここで、図３を参照しながら、図１に示す前段制御回路４０の動作について説明する。図３は、ローカル電源電圧ＶＬＣと前段制御回路から出力される駆動信号ＶＣ１のハイレベル値との関係を示す図である。
【００２６】
図１に示す前段制御回路４０に供給されるローカル電源電圧ＶＬＣが、０Ｖから上昇して、ある電圧値ＶＡよりも大きくなると、前段制御回路４０が正常動作を開始して、駆動信号ＶＣ１のハイレベル値が上昇する。そこで、本実施形態においては、通常動作モードにおけるローカル電源電圧ＶＬＣとしての第１の電圧Ｖ１が、少なくとも上記の電圧値ＶＡよりも大きく設定される。さらに、前段制御回路４０が正常に動作するためのローカル電源電圧ＶＬＣについてメーカによる補償範囲が存在する場合には、第１の電圧Ｖ１を、この補償範囲内にすることが望ましい。
【００２７】
一方、ローカル電源電圧ＶＬＣが高い電圧値から下降して、ある電圧値ＶＢよりも小さくなると、図１に示す前段制御回路４０が正常動作をしなくなる。一般に、ローカル電源電圧ＶＬＣと駆動信号ＶＣ１のハイレベル値との関係はヒステリシス特性を有しているので、ＶＢ＜ＶＡの関係が存在する。そこで、本実施形態においては、待機モードにおけるローカル電源電圧ＶＬＣとしての第２の電圧Ｖ２が、電圧値ＶＡよりも小さく設定され、好ましくは、起動を高速化及び安定化するために、電圧値ＶＢよりも大きく、かつ、電圧値ＶＡよりも小さく設定される。
【００２８】
図４は、図１に示す後段の電力変換回路の構成を示す図である。ここでは、後段の電力変換回路としてＤＣ／ＤＣコンバータを用いる場合について説明する。図４に示すように、後段の電力変換回路２０は、スイッチングによって発生する１次側の矩形波電圧を昇圧又は降圧して２次側に出力するトランス２２と、トランスの１次側巻線に直列に接続され、スイッチング動作を行うことによってトランスの１次側巻線に電流を流すスイッチング素子Ｑ２０と、後段制御回路５０（図１）から供給される駆動信号ＶＣ２に基づいてスイッチング素子Ｑ２０を駆動するドライバ２３と、トランス２２の２次側巻線に発生する交流電圧を半波整流するダイオードＤ２０と、ダイオードＤ２０によって整流された電圧を平滑して直流電圧を生成するコンデンサＣ２０とを含んでいる。ここで、トランス２２に補助巻線を設けておくことにより、トランス２２の補助巻線を図１に示す補助出力電圧生成回路２１として利用することができる。
【００２９】
次に、本実施形態に係るマルチステージ電源回路の動作について、図１及び図５を参照しながら説明する。図５は、図１に示すマルチステージ電源回路の動作を説明するためのタイミングチャートである。
【００３０】
図５に示すように、時刻ｔ０において、マルチステージ電源回路にＡＣ入力が投入されると、前段の電力変換回路１０のＰＦＣ回路１２から出力される直流電圧ＶＰＦＣが上昇する。また、ローカル電源生成回路３０から出力されるローカル電源電圧ＶＬＣも立ち上がるが、まだ待機モードであり、制御信号がハイレベルに非活性化されているので、ローカル電源電圧ＶＬＣは、第１の電圧Ｖ１よりも低い第２の電圧Ｖ２に押さえられる。従って、前段制御回路４０が動作しないので、ＰＦＣ回路１２は昇圧動作を行わず、ＰＦＣ回路１２の出力電圧ＶＰＦＣは、整流回路１１の出力電圧にほぼ等しい値となる。また、後段の電力変換回路（ＤＣ／ＤＣコンバータ）２０も動作せず、後段の電力変換回路２０のＤＣ出力電圧は０Ｖのままである。
【００３１】
時刻ｔ１において、システムが待機モードから通常動作モードに移行したことにより制御信号がローレベルに活性化されると、ローカル電源生成回路３０から出力されるローカル電源電圧ＶＬＣは、第２の電圧Ｖ２から第１の電圧Ｖ１に変化する。これにより、前段制御回路４０が動作を開始して、駆動信号ＶＣ１のハイレベル値が立ち上がる。その結果、ＰＦＣ回路１２が昇圧動作を開始するので、ＰＦＣ回路１２の出力電圧ＶＰＦＣがさらに上昇すると共に、補助出力電圧生成回路１３が動作を開始して補助出力電圧が生成される。補助出力電圧は、ダイオードＤ１によって整流されて、ダイオードＤ３及びＤ５を介して前段制御回路４０及び後段制御回路５０にそれぞれ供給される。
【００３２】
補助出力電圧が立ち上がったことにより、後段制御回路５０が動作を開始して、駆動信号ＶＣ２のハイレベル値が立ち上がる。その結果、後段の電力変換回路２０が動作を開始して、ＤＣ出力電圧が立ち上がる。このように、本実施形態によれば、システムが待機モードから通常動作モードに移行して制御信号がローレベルに活性化されると、マルチステージ電源回路の出力電圧をスピーディに立ち上げることができる。
【００３３】
次に、本発明の第２の実施形態に係るマルチステージ電源回路について説明する。図６は、本発明の第２の実施形態に係るマルチステージ電源回路の構成を示すブロック図である。第２の実施形態に係るマルチステージ電源回路は、待機モードと通常動作モードとの内の一方を指示する制御信号を外部から供給される替わりに、マルチステージ電源回路内において制御信号を生成している。その他の点に関しては、図１に示す第１の実施形態と同様である。
【００３４】
図６に示すように、このマルチステージ電源回路は、制御信号生成回路６０をさらに有している。制御信号生成回路６０は、整流回路１１から出力される電圧を遅延させる遅延回路６１と、遅延回路６１から出力される遅延信号を反転することにより制御信号を生成する反転回路６２とを含んでいる。遅延回路６１は、例えば、抵抗とコンデンサとによって構成され、反転回路６２は、例えば、ＮＰＮトランジスタ又はインバータによって構成される。
【００３５】
図２に示す前段の電力変換回路１０において、マルチステージ電源回路にＡＣ入力が投入されると、整流回路１１からインダクタンス素子１４及びダイオードＤ１０を介してコンデンサＣ１０に突入電流が流れ、コンデンサＣ１０がプリチャージされる。このとき、スイッチング素子Ｑ１０がオン状態になると、コンデンサＣ１０の他にスイッチング素子Ｑ１０にも突入電流が流れるので、全体として非常に大きな突入電流が流れることになってしまう。
【００３６】
そこで、本実施形態においては、コンデンサＣ１０に突入電流が流れた後に、間隔をおいて、スイッチング素子Ｑ１０に突入電流が流れるように、前段制御回路４０の動作を遅延させるための遅延信号を遅延回路６１によって生成する。本実施形態においては、この遅延信号が正論理であり、制御信号が負論理であることから、反転回路６２を設けて遅延信号を反転することにより制御信号を生成している。従って、遅延信号と制御信号とが同一論理である場合には、反転回路６２を設ける必要はない。
なお、制御信号生成回路６０によって、前段制御回路４０の動作に対し、後段制御回路５０の動作を時間的にずらすこともできる。
【産業上の利用可能性】
【００３７】
本発明は、複数ステージの電力変換回路をシリーズに接続することによって構成されるマルチステージ電源回路において利用することが可能である。
【図面の簡単な説明】
【００３８】
【図１】本発明の第１の実施形態に係るマルチステージ電源回路の構成を示すブロック図である。
【図２】図１に示す前段の電力変換回路及びローカル電源生成回路の構成を示す図である。
【図３】ローカル電源電圧ＶＬＣと前段制御回路から出力される駆動信号ＶＣ１のハイレベル値との関係を示す図である。
【図４】図１に示す後段の電力変換回路の構成を示す図である。
【図５】図１に示すマルチステージ電源回路の動作を説明するためのタイミングチャートである。
【図６】本発明の第２の実施形態に係るマルチステージ電源回路の構成を示すブロック図である。
【符号の説明】
【００３９】
１０  前段の電力変換回路
１１  整流回路
１２  ＰＦＣ回路
１３、２１  補助出力電圧生成回路
１４  インダクタンス素子
１５  、２３ドライバ
２２  トランス
３０  ローカル電源生成回路
４０  前段制御回路
５０  後段制御回路
６０  制御信号生成回路
６１  遅延回路
６２  反転回路
Ｒ１、Ｒ３０〜Ｒ３３  抵抗
Ｄ１〜Ｄ５、Ｄ１０、Ｄ２０  ダイオード
Ｚ３０〜Ｚ３２  ツェナーダイオード
Ｃ１０、Ｃ２０  コンデンサ
Ｑ１０、Ｑ２０  スイッチング素子
Ｑ３０〜Ｑ３２  トランジスタ
【図１】
2007143260.tif 000003
【図２】
2007143260.tif 000004
【図３】
2007143260.tif 000005
【図４】
2007143260.tif 000006
【図５】
2007143260.tif 000007
【図６】
2007143260.tif 000008